(57)【要約】  ワイヤレス遠隔通信システムにおいて、ある搬送波から他の搬送波への動的な変更を可能にする装置および方法。一例を挙げると、ユーザ装置が、最初の搬送波および後続の搬送波についてユーザ装置を事前設定できるように適合された事前設定メッセージを受信する。ここでは、最初にユーザ装置は最初の搬送波周波数を利用して、電波インターフェースを介して通信する。最初の搬送波のうちの１つが高負荷である、またはほぼ容量いっぱいであるなどのある条件を満たすと、ノードＢはユーザ装置に最初の搬送波から事前設定された二次搬送波に切り替える命令を提供する。このように、比較的迅速な搬送波切替えは、ノードＢによって主に制御される拡張負荷分散を提供する。
2013507093.tif 000002
【特許請求の範囲】
【請求項１】
アンカー搬送波および少なくとも１つの最初の二次搬送波を介して通信することと、
前記少なくとも１つの最初の二次搬送波を変更する命令を受信することと、
前記命令に応じて、前記少なくとも１つの最初の二次搬送波を不活性化すること、または少なくとも１つの後続の二次搬送波を活性化することのうちの少なくとも１つとを備える、ワイヤレス通信の方法。
【請求項２】
前記少なくとも１つの最初の二次搬送波を不活性化すること、または少なくとも１つの後続の二次搬送波を活性化することのうちの前記少なくとも１つが、前記少なくとも１つの後続の二次搬送波を活性化することを備え、
前記少なくとも１つの後続の二次搬送波を事前設定するための事前設定情報を受信することをさらに備える、請求項１に記載の方法。
【請求項３】
前記事前設定情報が、無線ネットワークコントローラによって提供される無線リソース制御シグナリングを備える、請求項２に記載の方法。
【請求項４】
前記通信することがアップリンクを送信することを備え、
前記少なくとも１つの最初の二次搬送波が１つの二次アップリンク搬送波を構成し、
前記事前設定情報が、前記後続の二次アップリンク搬送波の電力を制御するための制御チャネルを事前設定するように適合される、請求項２に記載の方法。
【請求項５】
前記事前設定されたアップリンク搬送波ごとにアクティブセットを維持することをさらに備える、請求項４に記載の方法。
【請求項６】
前記少なくとも１つの最初の二次搬送波を変更する前記命令が高速共有制御チャネル上に提供された情報要素を備える、請求項２に記載の方法。
【請求項７】
前記１つの二次アップリンク搬送波が前記アンカー搬送波に隣接する、請求項４に記載の方法。
【請求項８】
アンカー搬送波および少なくとも１つの最初の二次搬送波を介して通信することと、
前記少なくとも１つの最初の二次搬送波を変更する命令を送信することと、
前記少なくとも１つの最初の二次搬送波を介する通信を停止すること、または少なくとも１つの追加二次搬送波を活性化することのうちの少なくとも１つとを備える、ワイヤレス通信の方法。
【請求項９】
前記少なくとも１つの最初の二次搬送波を介する通信を停止すること、または少なくとも１つの追加二次搬送波を活性化することのうちの前記少なくとも１つが、前記少なくとも１つの後続の二次搬送波を活性化することを備え、
前記少なくとも１つの後続の二次搬送波を事前設定するためにユーザ装置に事前設定情報を中継することをさらに備える、請求項８に記載の方法。
【請求項１０】
前記ユーザ装置に中継されるべき事前設定メッセージをノードＢで受信するために、無線ネットワークサブシステムアプリケーションパートシグナリング、またはノードＢアプリケーションパートシグナリングの少なくとも１つを利用することをさらに備える、請求項９に記載の方法。
【請求項１１】
前記通信することがアップリンクを受信することを備え、
前記少なくとも１つの最初の二次搬送波が１つの二次アップリンク搬送波を構成し、
前記事前設定情報が、前記後続の二次アップリンク搬送波の電力を制御するための制御チャネルを事前設定するように適合される、請求項８に記載の方法。
【請求項１２】
前記少なくとも１つの最初の二次搬送波を変更する前記命令が高速共有制御チャネル上に提供された情報要素を備える、請求項８に記載の方法。
【請求項１３】
条件を満たすと前記少なくとも１つの最初の二次搬送波の変更を決定することをさらに備え、前記条件が、複数の搬送波間の負荷不均衡、アップリンクノイズ発生測定、ダウンリンク電力、および前記アンカー搬送波を利用するいくつかの同時接続のうちの少なくとも１つに基づく、請求項８に記載の方法。
【請求項１４】
前記条件が複数の搬送波間の負荷不均衡に基づき、前記負荷不均衡が前記複数の搬送波上で送信時間間隔のどの部分が空であるかの決定に基づく、請求項１３に記載の方法。
【請求項１５】
アンカー搬送波および少なくとも１つの最初の二次搬送波を介して通信するための手段と、
前記少なくとも１つの最初の二次搬送波を変更する命令を受信するための手段と、
前記命令に応じて、前記少なくとも１つの最初の二次搬送波を不活性化すること、または少なくとも１つの後続の二次搬送波を活性化することのうちの少なくとも１つのための手段とを備える、ワイヤレス通信のための装置。
【請求項１６】
前記少なくとも１つの最初の二次搬送波を不活性化すること、または少なくとも１つの後続の二次搬送波を活性化することのうちの少なくとも１つのための前記手段が、前記少なくとも１つの後続の二次搬送波を活性化するための手段を備え、
前記少なくとも１つの後続の二次搬送波を事前設定するための事前設定情報を受信するための手段をさらに備える、請求項１５に記載の装置。
【請求項１７】
前記事前設定情報が、無線ネットワークコントローラによって提供される無線リソース制御シグナリングを備える、請求項１６に記載の装置。
【請求項１８】
通信するための前記手段がアップリンクを送信するための手段を備え、
前記少なくとも１つの最初の二次搬送波が１つの二次アップリンク搬送波を構成し、
前記事前設定情報が、前記後続の二次アップリンク搬送波の電力を制御するための制御チャネルを事前設定するように適合される、請求項１６に記載の装置。
【請求項１９】
前記事前設定されたアップリンク搬送波ごとにアクティブセットを維持するための手段をさらに備える、請求項１８に記載の装置。
【請求項２０】
前記少なくとも１つの最初の二次搬送波を変更する前記命令が高速共有制御チャネル上に提供された情報要素を備える、請求項１６に記載の装置。
【請求項２１】
前記１つの二次アップリンク搬送波が前記アンカー搬送波に隣接する、請求項１８に記載の装置。
【請求項２２】
アンカー搬送波および少なくとも１つの最初の二次搬送波を介して通信するための手段と、
前記少なくとも１つの最初の二次搬送波を変更する命令を送信するための手段と、
前記少なくとも１つの最初の二次搬送波を介する通信を停止すること、または少なくとも１つの追加二次搬送波を活性化することのうちの少なくとも１つのための手段とを備える、ワイヤレス通信のための装置。
【請求項２３】
前記少なくとも１つの最初の二次搬送波を介する通信を停止すること、または少なくとも１つの追加二次搬送波を活性化することのうちの少なくとも１つのための前記手段が、前記少なくとも１つの後続の二次搬送波を活性化するための手段を備え、
前記少なくとも１つの後続の二次搬送波を事前設定するためにユーザ装置に事前設定情報を中継するための手段をさらに備える、請求項２２に記載の装置。
【請求項２４】
前記ユーザ装置に中継されるべき事前設定メッセージをノードＢで受信するために、無線ネットワークサブシステムアプリケーションパートシグナリング、またはノードＢアプリケーションパートシグナリングの少なくとも１つを利用するための手段をさらに備える、請求項２３に記載の装置。
【請求項２５】
通信するための前記手段がアップリンクを受信するための手段を備え、
前記少なくとも１つの最初の二次搬送波が１つの二次アップリンク搬送波を構成し、
前記事前設定情報が、前記後続の二次アップリンク搬送波の電力を制御するための制御チャネルを事前設定するように適合される、請求項２２に記載の装置。
【請求項２６】
前記少なくとも１つの最初の二次搬送波を変更する前記命令が高速共有制御チャネル上に提供された情報要素を備える、請求項２２に記載の装置。
【請求項２７】
条件を満たすと前記少なくとも１つの最初の二次搬送波の変更を決定するための手段をさらに備え、前記条件が、複数の搬送波間の負荷不均衡、アップリンクノイズ発生測定、ダウンリンク電力、および前記アンカー搬送波を利用するいくつかの同時接続のうちの少なくとも１つに基づく、請求項２２に記載の装置。
【請求項２８】
前記条件が複数の搬送波間の負荷不均衡に基づき、前記負荷不均衡が前記複数の搬送波上で送信時間間隔のどの部分が空であるかの決定に基づく、請求項２７に記載の装置。
【請求項２９】
アンカー搬送波および少なくとも１つの最初の二次搬送波を介して通信することと、
前記少なくとも１つの最初の二次搬送波を変更する命令を受信することと、
前記命令に応じて、前記少なくとも１つの最初の二次搬送波を不活性化すること、または少なくとも１つの後続の二次搬送波を活性化することのうちの少なくとも１つとのためのコードを備えるコンピュータ可読メディアを備える、コンピュータプログラム製品。
【請求項３０】
前記少なくとも１つの最初の二次搬送波を不活性化すること、または少なくとも１つの後続の二次搬送波を活性化することのうちの前記少なくとも１つが、前記少なくとも１つの後続の二次搬送波を活性化することを備え、前記コンピュータ可読メディアが、
前記少なくとも１つの後続の二次搬送波を事前設定するための事前設定情報を受信するためのコードをさらに備える、請求項２９に記載のコンピュータプログラム製品。
【請求項３１】
前記事前設定情報が、無線ネットワークコントローラによって提供される無線リソース制御シグナリングを備える、請求項３０に記載のコンピュータプログラム製品。
【請求項３２】
アンカー搬送波および少なくとも１つの最初の二次搬送波を介して通信することと、
前記少なくとも１つの最初の二次搬送波を変更する命令を送信することと、
前記少なくとも１つも最初の二次搬送波を介する通信を停止すること、または少なくとも１つの追加二次搬送波を活性化することのうちの少なくとも１つとのためのコードを備えるコンピュータ可読メディアを備える、コンピュータプログラム製品。
【請求項３３】
前記少なくとも１つの最初の二次搬送波を介する通信を停止すること、または少なくとも１つの追加二次搬送波を活性化することのうちの前記少なくとも１つが、前記少なくとも１つの後続の二次搬送波を活性化することを備え、前記コンピュータ可読メディアが、
前記少なくとも１つの後続の二次搬送波を事前設定するためにユーザ装置に事前設定情報を中継するためのコードをさらに備える、請求項３２に記載のコンピュータプログラム製品。
【請求項３４】
前記ユーザ装置に中継されるべき事前設定メッセージをノードＢで受信するために、無線ネットワークサブシステムアプリケーションパートシグナリング、またはノードＢアプリケーションパートシグナリングの少なくとも１つを利用するためのコードをさらに備える、請求項３３に記載のコンピュータプログラム製品。
【請求項３５】
少なくとも１つのプロセッサと、
前記少なくとも１つのプロセッサに結合されたメモリとを備え、前記少なくとも１つのプロセッサが、
アンカー搬送波および少なくとも１つの最初の二次搬送波を介して通信し、
前記少なくとも１つの最初の二次搬送波を変更する命令を受信し、
前記命令に応じて、前記少なくとも１つの最初の二次搬送波を不活性化すること、または少なくとも１つの後続の二次搬送波を活性化することのうちの少なくとも１つを行うように構成されている、ワイヤレス通信のための装置。
【請求項３６】
前記少なくとも１つの最初の二次搬送波を不活性化すること、または少なくとも１つの後続の二次搬送波を活性化することのうちの前記少なくとも１つが、前記少なくとも１つの後続の二次搬送波を活性化することを備え、前記少なくとも１つのプロセッサが、
前記少なくとも１つの後続の二次搬送波を事前設定するための事前設定情報を受信するようにさらに構成される、請求項３５に記載の装置。
【請求項３７】
前記事前設定情報が、無線ネットワークコントローラによって提供される無線リソース制御シグナリングを備える、請求項３６に記載の装置。
【請求項３８】
少なくとも１つのプロセッサと、
前記少なくとも１つのプロセッサに結合されたメモリとを備え、前記少なくとも１つのプロセッサが、
アンカー搬送波および少なくとも１つの最初の二次搬送波を介して通信し、
前記少なくとも１つの最初の二次搬送波を変更する命令を提供し、
前記少なくとも１つの最初の二次搬送波を介する通信を停止すること、または少なくとも１つの追加二次搬送波を活性化することのうちの少なくとも１つを行うように構成されている、ワイヤレス通信のための装置。
【請求項３９】
前記少なくとも１つの最初の二次搬送波を介する通信を停止すること、または少なくとも１つの追加二次搬送波を活性化することのうちの前記少なくとも１つが、前記少なくとも１つの後続の二次搬送波を活性化することを備え、前記少なくとも１つのプロセッサが、
前記少なくとも１つの後続の二次搬送波を事前設定するためにユーザ装置に事前設定情報を中継するようにさらに構成される、請求項３８に記載の装置。
【請求項４０】
前記少なくとも１つのプロセッサが、前記ユーザ装置に中継されるべき事前設定メッセージをノードＢで受信するために、無線ネットワークサブシステムアプリケーションパートシグナリング、またはノードＢアプリケーションパートシグナリングの少なくとも１つを利用するようにさらに構成される、請求項３９に記載の装置。
【発明の詳細な説明】
【関連出願】
【０００１】
本出願は、「Ｄｙｎａｍｉｃ  ＮｏｄｅＢ  Ｂａｓｅｄ  ＵＬ  Ｌｏａｄ  Ｂａｌａｎｃｉｎｇ  ｉｎ  ４Ｃ−ＨＳＤＰＡ」という題名で２００９年１０月５日に出願され、参照により本明細書に明示的に組み込まれる米国仮特許出願第６１／２４８，８６３号の利益を要求するものである。
【技術分野】
【０００２】
本開示の複数の態様は、一般にワイヤレス通信システムに関し、特にマルチキャリアワイヤレス通信システムにおけるトラフィック負荷を分散するためのシステムおよび方法に関する。
【背景技術】
【０００３】
ワイヤレス通信ネットワークは、電話通信、ビデオ、データ、メッセージング、ブロードキャストなどの様々な通信サービスを提供するために広く展開されている。このようなネットワークは通常多元接続ネットワークであり、利用可能なネットワークリソースを共有することによってマルチユーザの通信をサポートする。このようなネットワークの一例は、ＵＭＴＳ地上無線アクセスネットワーク（ＵＴＲＡＮ）である。ＵＴＲＡＮは、第３世代パートナーシッププロジェクト（３ＧＰＰ）によってサポートされる第３世代（３Ｇ）モバイル電話技術であるユニバーサルモバイル遠隔通信システム（ＵＭＴＳ）の一部と定義される無線アクセスネットワーク（ＲＡＮ）である。グローバルシステムフォーモバイルコミュニケーションズ（ＧＳＭ（登録商標））技術の後継であるＵＭＴＳは、現在広帯域符号分割多元接続（Ｗ−ＣＤＭＡ）、時分割符号分割多元接続（ＴＤ−ＣＤＭＡ）、および時分割同期符号分割多元接続（ＴＤ−ＳＣＤＭＡ）などの様々な電波インターフェース規格をサポートしている。ＵＭＴＳは、関連ＵＭＴＳネットワークにより速いデータ転送速度およびより大きな容量を提供する高速パケット接続（ＨＳＤＰＡ）などの、拡張３Ｇデータ通信プロトコルもサポートする。
【０００４】
モバイルブロードバンドアクセスに対する需要が増加し続けていることから、研究および開発がＵＭＴＳ技術を発展させるために続けられ、モバイルブロードバンドアクセスに対する需要の高まりを満足させるだけでなく、モバイル通信でのユーザエクスペリエンスを発展させ向上させている。
【発明の概要】
【０００５】
装置および方法が、ワイヤレス遠隔通信システムにおける、ある搬送波から他の搬送波への動的な変更を可能にする。一例を挙げると、ユーザ装置が、最初の搬送波および後続の搬送波についてユーザ装置を事前設定できるように適合された事前設定メッセージを受信する。ここでは、最初にユーザ装置は最初の搬送波周波数を利用して、電波インターフェースを介して通信する。最初の搬送波のうちの１つが高負荷である、またはほぼ容量いっぱいであるなどのある条件を満たすと、ノードＢは、最初の搬送波から事前設定された二次搬送波に切り替える命令をユーザ装置に提供する。このように、比較的迅速な搬送波切替えは、ノードＢによって主に制御される拡張負荷分散を提供する。
【０００６】
一態様では、本開示は、アンカー搬送波および少なくとも１つの最初の二次搬送波を介して通信することと、少なくとも１つの最初の二次搬送波を変更する命令を受信することと、命令に応じて、少なくとも１つの最初の二次搬送波を不活性化することまたは少なくとも１つの後続の二次搬送波を活性化することのうちの少なくとも１つとを含む、ワイヤレス通信の方法を提供する。
【０００７】
本開示の他の態様は、アンカー搬送波および少なくとも１つの最初の二次搬送波を介して通信することと、少なくとも１つの最初の二次搬送波を変更する命令を送信することと、少なくとも１つの最初の二次搬送波を介する通信を停止すること、または少なくとも１つの追加二次搬送波を活性化することのうちの少なくとも１つとを含む、ワイヤレス通信の方法を提供する。
【０００８】
本開示の他の態様は、アンカー搬送波および少なくとも１つの最初の二次搬送波を介して通信するための手段と、少なくとも１つの最初の二次搬送波を変更する命令を受信するための手段と、命令に応じて、少なくとも１つの最初の二次搬送波を不活性化すること、または少なくとも１つの後続の二次搬送波を活性化することのうちの少なくとも１つのための手段とを含む、ワイヤレス通信のための装置を提供する。
【０００９】
本開示の他の態様は、アンカー搬送波および少なくとも１つの最初の二次搬送波を介して通信するための手段と、少なくとも１つの最初の二次搬送波を変更する命令を送信するための手段と、少なくとも１つの最初の二次搬送波を介する通信を停止すること、または少なくとも１つの追加二次搬送波を活性化することのうちの少なくとも１つのための手段とを含む、ワイヤレス通信のための装置を提供する。
【００１０】
本開示の他の態様は、アンカー搬送波および少なくとも１つの最初の二次搬送波を介して通信することと、少なくとも１つの最初の二次搬送波を変更する命令を受信することと、命令に応じて、少なくとも１つの最初の二次搬送波を不活性化すること、または少なくとも１つの後続の二次搬送波を活性化することのうちの少なくとも１つとのためのコードを有するコンピュータ可読メディアを含む、コンピュータプログラム製品を提供する。
【００１１】
本開示の他の態様は、アンカー搬送波および少なくとも１つの最初の二次搬送波を介して通信することと、少なくとも１つの最初の二次搬送波を変更する命令を送信することと、少なくとも１つも最初の二次搬送波を介する通信を停止すること、または少なくとも１つの追加二次搬送波を活性化することのうちの少なくとも１つとのためのコードを有するコンピュータ可読メディアを含む、コンピュータプログラム製品を提供する。
【００１２】
本開示の他の態様は、少なくとも１つのプロセッサと、少なくとも１つのプロセッサに結合されたメモリとを含む、ワイヤレス通信のための装置を提供する。ここでは、少なくとも１つのプロセッサは、アンカー搬送波および少なくとも１つの最初の二次搬送波を介して通信し、少なくとも１つの最初の二次搬送波を変更する命令を受信し、命令に応じて、少なくとも１つの最初の二次搬送波を不活性化すること、または少なくとも１つの後続の二次搬送波を活性化することのうちの少なくとも１つを行うように構成されている。
【００１３】
本開示の他の態様は、少なくとも１つのプロセッサと、少なくとも１つのプロセッサに結合されたメモリとを含む、ワイヤレス通信のための装置を提供する。ここでは、少なくとも１つのプロセッサは、アンカー搬送波および少なくとも１つの最初の二次搬送波を介して通信し、少なくとも１つの最初の二次搬送波を変更する命令を提供し、少なくとも１つの最初の二次搬送波を介する通信を停止すること、または少なくとも１つの追加二次搬送波を活性化することのうちの少なくとも１つを行うように構成されている。
【００１４】
本発明のこれらおよび他の態様は、以下のより詳細な記述を参照すればより完全に理解されよう。
【図面の簡単な説明】
【００１５】
【図１】処理システムを使用する装置のためのハードウェア実装の例を示す図。
【図２】遠隔通信システムの例を概念的に示すブロック図。
【図３】アクセスネットワークの例を示す概念図。
【図４】遠隔通信システムにおいてＵＥと通信しているノードＢの例を概念的に示すブロック図。
【図５】ＤＣ−ＨＳＤＰＡシステムにおける動的ダウンリンク搬送波変更を示す概念図。
【図６】４Ｃ−ＨＳＤＰＡシステムにおける動的アップリンク搬送波変更を示す概念図。
【図７】本開示の態様による、アップリンク搬送波を動的に変更する処理を示す呼の流れ図。
【図８】本開示の様々な態様による、搬送波を動的に変更する２つの例示的処理を示す流れ図。
【発明を実施するための形態】
【００１６】
添付の図面とともに以下で説明する詳細な記述は、様々な構成の記述を意図するものであり、本明細書に記述される概念を実施できる唯一の構成を表すことを意図するものではない。詳細な記述は、様々な概念の完全な理解を提供するために特定の詳細を含む。しかし、これらの概念はこれらの特定の詳細なしに実施できることが当業者には明らかだろう。場合によっては、このような概念を曖昧にすることを避けるために、よく知られている構造およびコンポーネントがブロック図の形式で示されている。
【００１７】
図１は、処理システム１１４を使用する装置１００のためのハードウェア実装の例を示す概念図である。この例では、処理システム１１４は、一般にバス１０２によって表されるバスアーキテクチャとともに実装できる。バス１０２は、処理システム１１４の特定用途および全体的な設計制約に応じて任意の数の相互接続バスとブリッジとを含むことができる。バス１０２は、一般にプロセッサ１０４によって表される１つまたは複数のプロセッサ、メモリ１１６、および一般にコンピュータ可読メディア１０６によって表されるコンピュータ可読メディアを含む、様々な回路を結合する。バス１０２は、タイミングソース、周辺機器、電圧調整器、および電力管理回路などの他の様々な回路も結合するが、それらは当分野でよく知られているのでこれ以上記述しない。バスインターフェース１０８は、バス１０２とトランシーバ１１０との間のインターフェースを提供する。トランシーバ１１０は、送信メディアを介して他の様々な装置と通信するための手段を提供する。装置の性質に応じて、ユーザインターフェース１１２（たとえば、キーパッド、ディスプレイ、スピーカ、マイク、ジョイスティック）も提供できる。
【００１８】
プロセッサ１０４は、バス１０２の管理、およびコンピュータ可読メディア１０６に格納されたソフトウェアの実行を含む一般的処理を担当する。プロセッサ１０４によって実行されると、ソフトウェアは、あらゆる特定の装置について以下に記述される様々な機能を処理システム１１４に実行させる。コンピュータ可読メディア１０６は、ソフトウェア実行時にプロセッサ１０４によって操作されるデータを格納するためにも使用できる。
【００１９】
本開示を通じて提示される様々な概念は、様々な遠隔通信システム、ネットワークアーキテクチャ、および通信規格にわたって実装できる。例を挙げると、図２に示される本開示の態様は、Ｗ−ＣＤＭＡ電波インターフェースを使用するＵＭＴＳシステム２００を参照して提示されているが、これに限定されない。ＵＭＴＳネットワークは、コアネットワーク（ＣＮ）２０４、ＵＭＴＳ地上無線アクセスネットワーク（ＵＴＲＡＮ）２０２、およびユーザ装置（ＵＥ）２１０の３つの相互作用ドメインを含む。この例では、ＵＴＲＡＮ２０２は、電話技術、ビデオ、データ、メッセージング、ブロードキャスト、および／または他のサービスを含む様々なワイヤレスサービスを提供する。ＵＴＲＡＮ２０２は、ＲＮＳ２０７などの複数の無線ネットワークサブシステム（ＲＮＳ）を含むことができ、それぞれはＲＮＣ２０６などのそれぞれの無線ネットワークコントローラ（ＲＮＣ）によって制御される。ここでは、ＵＴＲＡＮ２０２は、本明細書で示されるＲＮＣ２０６およびＲＮＳ２０７に加えていくつものＲＮＣ２０６とＲＮＳ２０７とを含むことができる。ＲＮＣ２０６は、特にＲＮＳ２０７内の無線リソースの割当て、再構成、および割当て解除を担当する装置である。ＲＮＣ２０６は、何らかの適切な転送ネットワークを使用して、直接物理的接続、仮想ネットワーク、または同様のものなどの様々なタイプのインターフェースを通じて、ＵＴＲＡＮ２０２内の他のＲＮＣと相互接続できる。たとえば、Ｉｕｒインターフェースは、無線ネットワークサブシステムアプリケーションパート（ＲＮＳＡＰ）プロトコルを利用してＲＮＣ２０６を相互に接続できる。
【００２０】
ＵＥ２１０とノードＢ２０８との間の通信は、物理（ＰＨＹ）レイヤと、メディアアクセス制御（ＭＡＣ）レイヤとを含むものと見なすことができる。さらに、それぞれのノードＢ２０８を経由するＵＥ２１０とＲＮＣ２０６との間の通信は、無線リソース制御（ＲＲＣ）レイヤを含むものと見なすことができる。本明細書では、ＰＨＹレイヤをレイヤ１と見なすことができ、ＭＡＣレイヤをレイヤ２と見なすことができ、またＲＲＣレイヤをレイヤ３と見なすことができる。以下の情報は、ＲＲＣプロトコル仕様書、３ＧＰＰ  ＴＳ  ２５．３３１  ｖ９．１．０で採用される専門用語を利用し、参照により本明細書に組み込む。
【００２１】
ＲＮＳ２０７によってカバーされる地理的領域はいくつかのセルに分割でき、無線トランシーバ装置がそれぞれのセルをサービスする。無線トランシーバ装置は、一般にＵＭＴＳアプリケーションにおけるノードＢと呼ばれるが、当業者によって基地局（ＢＳ）、ベーストランシーバ基地局（ＢＴＳ）、無線基地局、無線トランシーバ、トランシーバ機能、基本サービスセット（ＢＳＳ）、拡張サービスセット（ＥＳＳ）、アクセスポイント（ＡＰ）、または他の何らかの適切な用語で呼ばれることもある。明確にするために、それぞれのＲＮＳ２０７内に３つのノードＢ２０８が示されているが、ＲＮＳ２０７はいくつものワイヤレスノードＢを含むことができる。ノードＢ２０８は、ノードＢアプリケーションパート（ＮＢＡＰ）プロトコルなどの何らかの適切な通信プロトコルを利用して、Ｉｕｂインターフェースを経由してそれぞれのＲＮＳ２０７内のＲＮＣ２０６に通信可能なように結合できる。ノードＢ２０８は、いくつものモバイル装置にコアネットワーク（ＣＮ）２０４へのワイヤレスアクセスポイントを提供する。モバイル装置の例には、セルラー電話、スマートフォン、セッション開始プロトコル（ＳＩＰ）電話、ラップトップ、ノートブック、ネットブック、スマートブック、携帯情報端末（ＰＤＡ）、衛星無線、全世界測位システム（ＧＰＳ）デバイス、マルチメディアデバイス、ビデオデバイス、デジタルオーディオプレイヤ（たとえば、ＭＰ３プレイヤ）、カメラ、ゲーム機、または他の何らかの同様の機能デバイスがある。モバイル装置は、一般にＵＭＴＳアプリケーション内のＵＥと呼ばれるが、当業者によって移動局（ＭＳ）、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末（ＡＴ）、モバイル端末、ワイヤレス端末、遠隔端末、ハンドセット、端末、ユーザエージェント、モバイルクライアント、クライアント、または他の何らかの適切な用語で呼ばれることもある。ＵＭＴＳシステムでは、ＵＥ２１０は、ユーザのネットワーク加入情報を含むユニバーサル加入者識別モジュール（ＵＳＩＭ）２１１をさらに含むことができる。例示のために、いくつかのノードＢ２０８と通信している１つのＵＥ２１０が示されている。順方向リンクとも呼ばれるダウンリンク（ＤＬ）はノードＢ２０８からＵＥ２１０への通信リンクを指し、逆方向リンクとも呼ばれるアップリンク（ＵＬ）はＵＥ２１０からノードＢ２０８への通信リンクを指す。
【００２２】
コアネットワーク２０４は、ＵＴＲＡＮ２０２などの１つまたは複数のアクセスネットワークとインターフェースしている。図示されるように、コアネットワーク２０４はＧＳＭコアネットワークである。しかし、本開示を通じて提示される様々な概念は、当業者なら理解できるように、ＵＥにＧＳＭネットワーク以外のコアネットワークのタイプへのアクセスを提供するためにＲＡＮまたは他の適切なアクセスネットワーク内で実装できる。
【００２３】
コアネットワーク２０４は、回線交換（ＣＳ）ドメインと、パケット交換（ＰＳ）ドメインとを含む。回線交換要素のうちのいくつかは、モバイルサービス交換センター（ＭＳＣ）、ビジターロケーションレジスタ（ＶＬＲ）、およびゲートウェイＭＳＣである。パケット交換要素は、サービングＧＰＲＳサポートノード（ＳＧＳＮ）とゲートウェイＧＰＲＳサポートノード（ＧＧＳＮ）とを含む。ＥＩＲ、ＨＬＲ、ＶＬＲ、およびＡｕＣなどのいくつかのネットワーク要素は、回線交換ドメインとパケット交換ドメインの両方によって共有できる。図示した例では、コアネットワーク２０４は、ＭＳＣ２１２およびＧＭＳＣ２１４で回線交換サービスをサポートする。いくつかのアプリケーションでは、ＧＭＳＣ２１４はメディアゲートウェイ（ＭＧＷ）と呼ばれる場合がある。ＲＮＣ２０６などの１つまたは複数のＲＮＣは、ＭＳＣ２１２に接続できる。ＭＳＣ２１２は呼設定と、呼ルーティングと、ＵＥモビリティ機能とを制御する装置である。ＭＳＣ２１２は、ＵＥがＭＳＣ２１２のカバレージエリアにある期間の加入者関連情報を含むＶＬＲも含む。ＧＭＳＣ２１４は、ＭＳＣ２１２を通じて、回線交換ネットワーク２１６にアクセスするためのゲートウェイをＵＥに提供する。ＧＭＳＣ２１４は、特定のユーザが加入したサービスの詳細を反映するデータなどの加入者データを含むホームロケーションレジスタ（ＨＬＲ）２１５を含む。ＨＬＲは、加入者固有の認証データを含む認証センター（ＡｕＣ）にも関連付けられる。特定のＵＥについて呼が受信されると、ＧＭＳＣ２１４は、ＵＥのロケーションを決定するためにＨＬＲ２１５に問い合わせて、そのロケーションをサービスしている特定のＭＳＣに呼を転送する。
【００２４】
コアネットワーク２０４は、ＳＧＳＮ２１８およびＧＧＳＮ２２０でパケットデータサービスもサポートする。汎用パケット無線サービスの略であるＧＰＲＳは、標準的な回線交換データサービスで利用可能な速度よりも速い速度でパケットデータサービスを提供するように設計されている。ＧＧＳＮ２２０は、ＵＴＲＡＮ２０２にパケットベースのネットワーク２２２への接続を提供する。パケットベースのネットワーク２２２は、インターネット、プライベートデータネットワーク、または他の何らかの適切なパケットベースのネットワークでもよい。ＧＧＳＮ２２０の主な機能は、ＵＥ２１０にパケットベースのネットワーク接続性を提供することである。データパケットは、ＭＳＣ２１２が回線交換ドメインにおいて実行する機能と主に同じ機能をパケットベースのドメインにおいて実行するＳＧＳＮ２１８を通じて、ＧＧＳＮ２２０とＵＥ２１０との間で転送できる。
【００２５】
ＵＭＴＳ電波インターフェースは、スペクトラム拡散直接シーケンス符号分割多元接続（ＤＳ−ＣＤＭＡ：Direct-Sequence Code Division Multiple Access）システムである。スペクトラム拡散ＤＳ−ＣＤＭＡは、チップと呼ばれる疑似ランダムビットのシーケンスによる増加を通じてユーザデータを拡散する。ＵＭＴＳのためのＷ−ＣＤＭＡ電波インターフェースは、このような直接シーケンススペクトラム拡散技術に基づき、さらに周波数分割二重（ＦＤＤ）を要求する。ＦＤＤは、ノードＢ２０８とＵＥ２１０との間のＵＬおよびＤＬのために異なる周波数を使用する。ＤＳ−ＣＤＭＡを利用する、および時分割二重を使用するＵＭＴＳのための他の電波インターフェースは、ＴＤ−ＳＣＤＭＡ電波インターフェースである。本明細書に記述される様々な例はＷ−ＣＤＭＡ電波インターフェースに言及しているが、基本的原則がＴＤ−ＳＣＤＭＡ電波インターフェースに等しく適用可能であることが、当業者なら理解できるだろう。
【００２６】
図３を参照すると、ＵＴＲＡＮアーキテクチャにおけるアクセスネットワーク３００が示されている。多元接続ワイヤレス通信システムは、セル３０２と、３０４と、３０６とを含む多数のセルラー領域（セル）を含み、それぞれのセルは１つまたは複数のセクタを含むことができる。多数のセクタはアンテナのグループによって形成でき、それぞれのアンテナはセルの一部の中のＵＥとの通信を担当する。たとえば、セル３０２では、アンテナグループ３１２、３１４、および３１６はそれぞれ異なるセクタに対応できる。セル３０４では、アンテナグループ３１８、３２０、および３２２はそれぞれ異なるセクタに対応する。セル３０６では、アンテナグループ３２４、３２６、および３２８はそれぞれ異なるセクタに対応する。セル３０２、３０４、および３０６は、それぞれのセル３０２、３０４、または３０６の１つまたは複数のセクタと通信できるユーザ装置すなわちＵＥなどの、いくつかのワイヤレス通信デバイスを含むことができる。たとえば、ＵＥ３３０および３３２はノードＢ３４２と通信でき、ＵＥ３３４および３３６はノードＢ３４４と通信でき、ＵＥ３３８および３４０はノードＢ３４６と通信できる。ここでは、それぞれのノードＢ３４２、３４４、３４６は、それぞれのセル３０２、３０４、および３０６内の全てのＵＥ３３０、３３２、３３４、３３６、３３８、３４０にコアネットワーク２０４へのアクセスポイント（図２参照）を提供するように構成されている。
【００２７】
ＵＥ３３４がセル３０４内の図示されたロケーションからセル３０６に移動すると、サービングセル変更（ＳＣＣ）またはハンドオーバが発生して、ＵＥ３３４との通信が、ソースセルと呼ばれる場合があるセル３０４からターゲットセルと呼ばれる場合があるセル３０６に遷移する。ハンドオーバ手順の管理はＵＥ３３４、それぞれのセルに対応するノードＢ、無線ネットワークコントローラ２０６（図２参照）、またはワイヤレスネットワーク内の他の適切なノードで行うことができる。たとえば、ソースセル３０４との呼の間、または他の何らかの時間に、ＵＥ３３４はソースセル３０４の様々なパラメータ、ならびにセル３０６および３０２などの隣接するセルの様々なパラメータを監視できる。さらに、これらのパラメータの質に応じて、ＵＥ３３４は隣接するセルのうちの１つまたは複数との通信を維持できる。この時間の間に、ＵＥ３３４はアクティブセット、すなわちＵＥ３３４が同時に接続するセルのリストを維持できる（すなわち、現在ＵＥ３３４にダウンリンク専用物理チャネル（ＤＰＣＨ）または断片的ダウンリンク専用物理チャネル（Ｆ−ＤＰＣＨ：fractional downlink dedicated physical channel）を割り当てているＵＴＲＡセルがアクティブセットを構成できる）。
【００２８】
アクセスネットワーク３００によって使用される変調および多元接続スキームは、展開されている特定の遠隔通信規格によって異なる。例を挙げると、規格はＥｖｏｌｕｔｉｏｎ−Ｄａｔａ  Ｏｐｔｉｍｉｚｅｄ（ＥＶ−ＤＯ）、またはウルトラモバイルブロードバンド（ＵＭＢ）を含むことができる。ＥＶ−ＤＯおよびＵＭＢは、第３世代パートナーシッププロジェクト２（３ＧＰＰ２）によってＣＤＭＡ２０００規格ファミリの一部として発布された電波インターフェース規格であり、移動局にブロードバンドインターネットアクセスを提供するためにＣＤＭＡを使用する。あるいは、規格は、広帯域ＣＤＭＡ（Ｗ−ＣＤＭＡ）およびＴＤ−ＳＣＤＭＡなどの他の様々なＣＤＭＡを使用するユニバーサル地上無線アクセス（ＵＴＲＡ）、ＴＤＭＡを使用するグローバルシステムフォーモバイルコミュニケーションズ（ＧＳＭ）、ならびにＥｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびＯＦＤＭＡを使用するＦｌａｓｈ−ＯＦＤＭでよい。ＵＴＲＡ、Ｅ−ＵＴＲＡ、ＵＭＴＳ、ＬＴＥ、ＬＴＥ  Ａｄｖａｎｃｅｄ、およびＧＳＭは、３ＧＰＰ組織からの文書に記述されている。ＣＤＭＡ２０００およびＵＭＢは、３ＧＰＰ２組織からの文書に記述されている。実際のワイヤレス通信規格および使用される多元接続技術は、特定用途およびシステムに課された全体的な設計制約に依存することになる。
【００２９】
図４は、ＵＥ４５０と通信しているノードＢ４１０のブロック図であり、ノードＢ４１０は図２におけるノードＢ２０８でよく、ＵＥ４５０は図２におけるＵＥ２１０でよい。ダウンリンク通信において、送信プロセッサ４２０はデータソース４１２からデータを受信して、コントローラ／プロセッサ４４０からの信号を制御できる。送信プロセッサ４２０は、データおよび制御信号、ならびに参照信号（たとえばパイロット信号）についての様々な信号処理機能を提供する。たとえば、送信プロセッサ４２０は、エラー検出のための巡回冗長検査（ＣＲＣ）コード、順方向エラー訂正（ＦＥＣ）を容易にするためのコーディングおよびインターリービングと、様々な変調スキーム（たとえば、２相位相シフトキーイング（ＢＰＳＫ）、４相位相シフトキーイング（ＱＰＳＫ）、Ｍ値位相シフトキーイング（Ｍ−ＰＳＫ）、Ｍ値直交振幅変調（Ｍ−ＱＡＭ）、および同様のもの）に基づく信号配列へのマッピングと、直交可変拡散ファクタ（ＯＶＳＦ）での拡散と、一連のシンボルを生成するためのスクランブルコードでのマルチプライング（ｍｕｌｔｉｐｌｙｉｎｇ）とを提供できる。チャネルプロセッサ４４４からのチャネル推定は、送信プロセッサ４２０のためのコーディング、変調、拡散、および／またはスクランブリングスキームを決定するためにコントローラ／プロセッサ４４０によって使用できる。これらのチャネル推定は、ＵＥ４５０によって送信された参照信号から、またはＵＥ４５０からのフィードバックから得ることができる。送信プロセッサ４２０によって生成されたシンボルは、フレーム構造を作成するために送信フレームプロセッサ４３０に提供される。送信フレームプロセッサ４３０は、コントローラ／プロセッサ４４０からの情報でシンボルを多重化することによってこのフレーム構造を作成し、一連のフレームをもたらす。次いで、フレームは、アンテナ４３４を通じてワイヤレスメディアを介するダウンリンク送信用の搬送波上でフレームを増幅し、フィルタリングし、変調することを含む様々な信号調整機能を提供するトランスミッタ４３２に提供される。アンテナ４３４は、たとえばビームステアリング双方向適応アンテナアレイ、または他の同様のビーム技術を含む、１つまたは複数のアンテナを含むことができる。
【００３０】
ＵＥ４５０で、受信機４５４がアンテナ４５２を通じてダウンリンク送信を受信して、搬送波上で変調された情報を回復するためにその送信を処理する。受信機４５４によって回復された情報は、受信フレームプロセッサ４６０に提供され、それぞれのフレームを構文解析して、フレームからの情報をチャネルプロセッサ４９４に、またデータ、制御、および参照信号を受信プロセッサ４７０に提供する。次いで、受信プロセッサ４７０は、ノードＢ４１０内の送信プロセッサ４２０によって実行された処理の逆を実行する。より具体的には、受信プロセッサ４７０はシンボルをスクランブル解除して開き、次いで、変調スキームに基づいて、ノードＢによって送信された最も可能性の高い信号配列ポイントを決定する。これらのソフト決定は、チャネルプロセッサ４９４によって計算されたチャネル推定に基づくことができる。次いで、データと、制御と、参照信号とを回復するために、ソフト決定が復号およびデインタリーブされる。次いで、フレームが無事に復号されたかどうかを決定するためにＣＲＣコードが検査される。無事に復号されたフレームによって搬送されたデータは、次いで、ＵＥ４５０内で実行しているアプリケーション、および／または様々なユーザインターフェース（たとえばディスプレイ）を表すデータシンク４７２に提供されることになる。無事に復号されたフレームによって搬送される制御信号は、コントローラ／プロセッサ４９０に提供されることになる。フレームが受信プロセッサ４７０によって無事に復号されなかった場合、コントローラ／プロセッサ４９０は、それらのフレームの再送信要求をサポートするために肯定応答（ＡＣＫ）および／または否定応答（ＮＡＣＫ）プロトコルも使用できる。
【００３１】
アップリンクでは、データソース４７８からのデータ、およびコントローラ／プロセッサ４９０からの制御信号が送信プロセッサ４８０に提供される。データソース４７８はＵＥ４５０内で実行しているアプリケーションと、様々なユーザインターフェース（たとえば、キーボード）とを表すことができる。ノードＢ４１０によるダウンリンク送信とともに記述した機能と同様、送信プロセッサ４８０は、ＣＲＣコードと、ＦＥＣを容易にするためのコーディングおよびインターリービングと、信号配列へのマッピングと、ＯＶＳＦでの拡散と、および一連のシンボルを生成するためのスクランブリングとを含む、様々な信号処理機能を提供する。ノードＢ４１０によって送信された参照信号から、またはノードＢ４１０によって送信されたミッドアンブルに含まれるフィードバックからチャネルプロセッサ４９４によって得られるチャネル推定は、適切なコーディング、変調、拡散、および／またはスクランブルスキームを選択するために使用できる。送信プロセッサ４８０によって生成されたシンボルは、フレーム構造を作成するために送信フレームプロセッサ４８２に提供されることになる。送信フレームプロセッサ４８２は、コントローラ／プロセッサ４９０からの情報でシンボルを多重化することによってこのフレーム構造を作成し、一連のフレームをもたらす。次いで、フレームはアンテナ４５２を通じてワイヤレスメディアを介するアップリンク送信用の搬送波上でフレームを増幅し、フィルタリングし、変調することを含む、様々な信号調整機能を提供するトランスミッタ４５６に提供される。
【００３２】
アップリンク送信は、ＵＥ４５０での受信機能とともに記述される方法と同様の方法で、ノードＢ４１０で処理される。受信機４３５はアンテナ４３４を通じてアップリンク送信を受信して、搬送波上で変調された情報を回復するためにその送信を処理する。受信機４３５によって回復された情報は受信フレームプロセッサ４３６に提供され、それぞれのフレームを構文解析して、フレームからの情報をチャネルプロセッサ４４４に、またデータと、制御と、参照信号とを受信プロセッサ４３８に提供する。受信プロセッサ４３８は、ＵＥ４５０内の送信プロセッサ４８０によって実行される処理の逆を実行する。次いで、無事に復号されたフレームによって搬送されたデータおよび制御信号を、データシンク４３９およびコントローラ／プロセッサにそれぞれ提供できる。フレームのうちのいくつかが受信プロセッサによって無事に復号されなかった場合、コントローラ／プロセッサ４４０は、それらのフレームの再送信要求をサポートするために肯定応答（ＡＣＫ）および／または否定応答（ＮＡＣＫ）プロトコルも使用できる。
【００３３】
コントローラ／プロセッサ４４０および４９０は、ノードＢ４１０およびＵＥ４５０でそれぞれ操作を指示するために使用できる。たとえば、コントローラ／プロセッサ４４０および４９０は、タイミングと、周辺インターフェースと、電圧調整と、電力管理と、他の制御機能とを含む、様々な機能を提供できる。メモリ４４２および４９２のコンピュータ可読メディアは、ノードＢ４１０およびＵＥ４５０についてのデータとソフトウェアとをそれぞれ格納できる。ノードＢ４１０のスケジューラ／プロセッサ４４６は、リソースをＵＥに割り当てて、ＵＥについてのＤＬおよび／またはＵＬ送信をスケジューリングするために使用できる。
【００３４】
ＵＭＴＳについての３ＧＰＰ仕様による搬送波結合が可能な現代の高速パケットアクセス（ＨＳＰＡ）システムでは、それぞれのＵＬおよびＤＬは複数の搬送波周波数を利用できるが、ＤＬに使用される搬送波の数はＵＬに使用される搬送波の数とは異なる場合がある。アンカー搬送波は、データおよび制御チャネルを含む全ての物理チャネルを搬送する搬送波である。一般に、それぞれのＵＬおよびＤＬには１つのアンカー搬送波がある。補助的または二次的な搬送波は、アンカー搬送波ではないいずれかの搬送波であり、搬送する制御情報は、もしあれば、それは一般により少ない。それぞれのＵＬおよびＤＬには、ゼロ以上の二次搬送波があってよい。いくつかの例では、結合された搬送波周波数は、同じ周波数帯域内で動作している隣接搬送波に限定される。しかし他の例では、同じ周波数帯域内の非隣接搬送波、および／または異なる周波数帯域内の搬送波を含むことができるより柔軟な搬送波結合を利用できる。
【００３５】
本開示の様々な態様によれば、二次搬送波の活性化および不活性化によって複数の搬送波にわたる動的負荷分散をＨＳＰＡネットワーク内で実現できる。ＵＭＴＳネットワークにおけるデータデバイスの数および需要の増加に伴い、動的負荷分散は所与のシステム容量について改善されたユーザエクスペリエンスを提供できる。
【００３６】
すなわち、マルチキャリアシステムはある程度の負荷分散を本質的に提供し、必要に応じてそれぞれの送信時間間隔（ＴＴＩ）でユーザごとにそれぞれの搬送波上で搬送される情報量を増加および／または減少して、搬送波にわたる負荷分散を改善できる。ここで、ＵＥが高負荷搬送波から低負荷搬送波に切替えできるようにすることによって、負荷分散へのさらなる改善を提供できる。さらに、切替えが生じる搬送波についてＵＥを事前設定することによって、より迅速な搬送波切替え（不活性化および活性化）に備えて、このような切替えの間のパフォーマンスを改善することができる。ここで、切替え（すなわち、他の二次搬送波への活性化）は、データ送信の間に生じる必要はないが、たとえデータバーストの間に生じても、周波数切替えによる遅延または中断は、ユーザによるデータバーストの送信にかかる時間の量と比較して依然として十分に小さくて済む。
【００３７】
一例では、２つの搬送波を利用するように構成されたＵＥは、第３の搬送波周波数を事前設定することによって動的負荷分散が可能になる。すなわち、ＵＥは、ＵＥが３つの搬送波のうちのいずれか２つを利用できるようにするように適合された情報要素を含む事前設定メッセージを受信できる。事前設定メッセージはＲＮＣから届いてよく、ＲＲＣ再構成メッセージ、アクティブセットアップデートメッセージ、またはＵＥが選択された搬送波を利用できるように適合された情報要素を含む他の何らかの適切なメッセージの形式をとってよい。
【００３８】
ここでは、二重搬送波ＵＥにおいて、ＵＥは所与のどの時間にも搬送波のうちの２つの上で活性化され得るに過ぎない。すなわち、ＵＥは３つの搬送波が使用できるようになるために十分な事前設定情報を提供されているが、ＵＥは１つのアンカー搬送波と１つの二次搬送波とを活性化する。二次搬送波として利用されている搬送波上の高負荷条件、および第３の不活性搬送波上の低負荷条件などの適切な条件を満たすと、ノードＢはＵＥに二次搬送波を不活性化して第３の搬送波を新しい二次搬送波として活性化する命令を提供できる。命令はノードＢから届いてよく、ＨＳ−ＳＣＣＨ命令、またはＵＥに事前設定に従って搬送波を変更する命令を提供するように適合された情報要素を含む他の何らかの適切なメッセージの形式をとってよい。少なくとも１つの二次搬送波を変更するという決定の条件は、複数の搬送波間の負荷不均衡、アップリンクノイズ測定、ダウンリンク電力、および／またはアンカー搬送波を利用する同時接続の数を含む、いくつかの要因に基づいてよい。ここでは、負荷不均衡は複数の搬送波上のトラフィック利用に基づいてよい。トラフィック利用は、複数の搬送波上で送信時間間隔（ＴＴＩ）のどの部分が空であるかを分析することによって決定できる。すなわち、搬送波がアイドル状態の場合、ＴＴＩはその時間部分について空でよい。したがって、ある搬送波が他の搬送波よりも多数の空のＴＴＩを有する場合、搬送波にわたって負荷をよりよく分散するための命令を生成できる。
【００３９】
ノードＢは特定の搬送波の負荷についての情報をよりすぐに利用できるので、ＲＮＣなどの他のノードとは反対に、ノードＢは特定のＵＥに搬送波周波数を切り替える命令を提供するより適切なノードである場合がある。さらに、ノードＢが命令をＨＳ−ＳＣＣＨ命令の形式で提供すると、ＵＥは、ＲＮＣから上位レイヤの命令を受信するのと比較して、より短時間で二次搬送波を切り替えることができる。また、ＵＥは新しい二次搬送波について事前設定されているので、比較的迅速にその搬送波に切り替えることができる。
【００４０】
周波数分割二重を利用する場合、一般的にそれぞれのＵＬ搬送波は対応するＤＬ搬送波から二重距離によって分離された同じ搬送波周波数内にある。本開示の一態様によれば、少なくとも２つのＵＬ搬送波が活性化される場合、二次ＵＬ搬送波に対応する二次ＤＬ搬送波は、その二次ＵＬ搬送波が活性化されたままである限り不活性化されないという規則を適用できる。
【００４１】
切り替えられているのがアップリンク搬送波の場合、対処するべきさらなる問題がある場合がある。たとえば、二次ＵＬ搬送波のリダイレクションは、搬送波にわたるＵＬトラフィック負荷における長期変更による場合があるので、いつでも最良の搬送波を割り当てるための柔軟性を保有したいという要望がある場合がある。さらに、ＤＬ搬送波を切り替える場合、通常は断片的専用物理チャネル（Ｆ−ＤＰＣＨ：Fractional Dedicated Physical Channel）などの制御チャネルを事前設定する必要はない。Ｆ−ＤＰＣＨは、ＵＬを制御するために電力制御情報を搬送するチャネルである。しかし、本開示の態様では、動的なＵＬ搬送波切替えを可能にするためにＦ−ＤＰＣＨを事前設定できる。
【００４２】
本開示のいくつかの態様では、ＵＬ搬送波の動的負荷分散は、１つまたは複数の二次搬送波がアンカー搬送波のいずれかのサイド上で構成される場合に限られることがある。たとえば、３つの隣接する構成されたＤＬ搬送波（Ｆ１／Ｆ２／Ｆ３）の場合はＦ２がアンカー搬送波であり、４つの隣接する構成されたＤＬ搬送波（Ｆ１／Ｆ２／Ｆ３／Ｆ４）の場合はＦ２またはＦ３のいずれかがアンカー搬送波である。ここでは、３つまたは４つの隣接ＤＬ搬送波上でＵＥを構成でき、アンカー搬送波は２つの構成された二次搬送波間にある。ネットワークは、アンカー搬送波およびアンカー搬送波のいずれかのサイド上で構成された搬送波に対応する３つの隣接ＵＬ搬送波上でＵＥを事前設定できる。したがって、どの時間にも、２つのＵＬ搬送波が相互に隣接しているという条件で、ノードＢはＵＬ搬送波のうちの最大２つを活性化できる。次いで、ＵＥは、活性化されたアップリンク搬送波に対応する活性化されたダウンリンク搬送波におけるＦ−ＤＰＣＨとＥ−ＤＣＨ制御情報とを監視する。モビリティによって、ＵＥおよびネットワークは、それぞれの３つの事前設定された隣接アップリンク搬送波上のアクティブセットを維持できる。
【００４３】
本開示の態様は、アップリンクまたはダウンリンクのいずれかの上のどのような特定の数の搬送波にも限定されず、さらにどのような数の搬送波の切替えにも限定されない。たとえば、対応するＨＳ−ＳＣＣＨ命令を受信すると、搬送波のうちの複数を切り替えることができる。さらに、対応するＨＳ−ＳＣＣＨ命令を受信すると、それぞれのダウンリンクおよびアップリンク搬送波のうちの１つまたは複数を切り替えることができる。
【００４４】
本開示の他の態様では、ＤＣ−ＨＳＤＰＡ対応のＵＥなどの、２つのダウンリンク搬送波および１つのアップリンク搬送波にしか対応しないＵＥに動的負荷分散を実装できる。たとえば、ＵＥは、２つの構成された二次搬送波の間にアンカー搬送波がある、３つの隣接ダウンリンク搬送波上で事前設定できる。ノードＢは、どの時間にもサービングＨＳ−ＤＳＣＨセルに隣接している２つの二次サービングＨＳ−ＤＳＣＨセルのうちの１つを活性化する選択ができる。たとえば、図５は特定の場合のダウンリンク上のトラフィック負荷を動的に変更するための２つの代替案を示す概念図である。図において、搬送波はブロックで示されており、異なる搬送波は、ダウンリンク搬送波にはＤＬ、アップリンク搬送波にはＵＬ、およびＦｎなどのラベルによって示されている。ｎは任意の数を表し、それぞれの搬送波の実際の周波数に必ずしも対応しなくてよい。
【００４５】
切替えの実装は、活性化されたアップリンクおよびダウンリンク搬送波の許容可能な組合せ、および構成されたアップリンクおよびダウンリンク搬送波の許容可能な構成を含むインデックス付きテーブルなどのデータ構造を利用することによって達成できる。一例として、ここでは４つのダウンリンク搬送波と２つのアップリンク搬送波とをサポートできるＵＥのテーブルは、４つから６つのダウンリンク搬送波、および２つから４つのアップリンク搬送波の構成についてのエントリを含むことができる。さらに、テーブルはダウンリンク搬送波のうちの最大４つの何らかの適切な数、およびアップリンク搬送波のうちの最大２つの何らかの適切な数の活性化についてのエントリを含むことができる。このようにして、１つ、２つ、または３つのアップリンク搬送波についてＵＥを事前設定でき、事前設定できるテーブル内に４つの可能なアップリンク搬送波のうち３つの隣接アップリンク搬送波の２つの可能なグループがある。同様に、ＵＥは１つから５つのダウンリンク搬送波について事前設定でき、事前設定できるテーブル内に５つの隣接ダウンリンク搬送波の２つの可能なグループがある。上述のＲＲＣシグナリングによる所望の搬送波周波数について一旦ＵＥが事前設定されると、ＨＳ−ＳＣＣＨ命令は活性化された搬送周波数の所望の組合せに対応するエントリを指すテーブルへのインデックスを含むことができる。
【００４６】
図５は、２つのダウンリンク搬送波と１つのアップリンク搬送波とを利用する（たとえば、ＤＣ−ＨＳＤＰＡにおけるように）例示的なケースを示している。図５において、左側に開始状態が示されており、ダウンリンク搬送波５０２および５０４がノードＢによって隣接周波数Ｆ１およびＦ２上で送信されており、アップリンク搬送波５０６がＵＥによって周波数Ｆ２上で送信されている。ここでは、周波数Ｆ２上のダウンリンク搬送波５０４およびアップリンク搬送波５０６がアンカー搬送波であり、周波数Ｆ１上のダウンリンク搬送波５０２が二次搬送波である。本開示の文脈では、２つの搬送波周波数が相互に隣接しているといわれる場合、間に別の搬送波を挟まずにそれぞれの搬送波が周波数内で間隔を置いて配置されていることを意味する。たとえば、例示的なＨＳＰＡシステムでは、アップリンクまたはダウンリンクのいずれかの隣接搬送波は一般に約５ＭＨｚの間隔を置かれるが、本開示の態様によれば他の搬送波間隔を利用できる。
【００４７】
本開示の態様では、図示された搬送波スキームを利用するＵＥは、レベル３  ＲＲＣメッセージ上で、周波数Ｆ３上で第３のダウンリンク搬送波５０８を利用するためにＵＥを構成できるように適合された情報を含む事前設定情報を受信する。したがって、ＵＥにダウンリンク搬送波を変更するよう指示するように適合されたノードＢからＨＳ−ＳＣＣＨ命令を受信すると、周波数Ｆ１上の最初の二次ダウンリンク搬送波５０２を不活性化でき、後続の二次ダウンリンク搬送波５０８を事前設定のおかげで比較的迅速に活性化できる。
【００４８】
ここでは、ダウンリンクについてのアンカー搬送波５０４は変更されないままであり、後続の二次ダウンリンク搬送波５０８はアンカー搬送波５０４に隣接するが、逆のサイドである。たとえば、Ｆ１がアンカー搬送波５０４よりも低い周波数を有する次の隣接搬送波である場合、Ｆ３がアンカー搬送波５０４よりも高い周波数を有する次の隣接搬送波になる。当然、本開示の範囲内の他の特定のスキームも利用できる。
【００４９】
図５の右下方に示した代替案では、後続の二次ダウンリンク搬送波を活性化せずに周波数Ｆ１内の二次搬送波５０２を不活性化できる。したがってＨＳ−ＳＣＣＨ命令は、二次搬送波を単に不活性化するようＵＥに指示できる。図示された例では、これによりダウンリンク上で利用される単一の搬送波が得られる。このような一連の行動は、たとえば、ＵＥの電池寿命を節約するために、または二重ダウンリンク搬送波を必要としない電波インターフェースを介して送信されている特定の情報について低いスループットだけが必要な場合に行われてよい。いずれにしても、ＨＳ−ＳＣＣＨ命令の結果は柔軟でよく、二次搬送波の変更または不活性化を可能にすることができることがわかる。
【００５０】
図６は、最大４つのダウンリンク搬送波と最大２つのアップリンク搬送波とを利用するシステムにおける、動的アップリンク搬送波活性化および不活性化の２つの例を示している。図６では、電波インターフェースは、４つのダウンリンク搬送波６０２と、６０４と、６０６と、６０８とをそれぞれＦ１、Ｆ２、Ｆ３、およびＦ４の周波数上で、また２つのアップリンク搬送波６１０と６１２とをそれぞれ周波数Ｆ２およびＦ３上で利用している。この例では、周波数Ｆ２はダウンリンクおよびアップリンク上でそれぞれアンカー搬送波６０４と６１０とを搬送する。上述し、図５に示したケースと同様に、ＵＥは周波数Ｆ１上で第３のアップリンク搬送波６１４を利用するためにＵＥを構成できるように適合された情報を含む事前設定メッセージを受信する。ここでは、事前設定メッセージはＵＥが二次アップリンク搬送波の電力を制御するためのＦ−ＤＰＣＨなどの制御チャネルを構成できるようにするために情報を含むことができる。したがって、ＵＥにアップリンク搬送波を変更するよう指示するように適合されたノードＢからＨＳ−ＳＣＣＨ命令を受信すると、周波数Ｆ３上の最初の二次アップリンク搬送波６１２を不活性化でき、後続の二次アップリンク搬送波６１４を事前設定のおかげで比較的迅速に活性化できる。
【００５１】
ここでは、アップリンクについてのアンカー搬送波６１０は変更されないままであり、後続の二次アップリンク搬送波６１４はアンカー搬送波６１０に隣接するが、逆のサイドである。図６の右上方に示した代替案では、後続の二次アップリンク搬送波を活性化せずに周波数Ｆ３内の二次アップリンク搬送波６１２を不活性化できる。もちろんこれは一例に過ぎず、本開示の他の態様では、それぞれの搬送波を比較的迅速に変更するために事前設定とＨＳ−ＳＣＣＨ命令とを利用することによって、図５および６に関連して本明細書に述べるような同様の方法でいくつものアップリンクおよびダウンリンク搬送波を変更できる。
【００５２】
図７は、本開示の例示的態様による、動的負荷分散のための処理を示す呼の流れ図である。ここでは、ＵＥ７０２はノードＢ７０４とＲＮＣ７０６とを含む無線ネットワークサブシステムと通信している。この例におけるＵＥは、４つのダウンリンク搬送波と２つのアップリンク搬送波とを含むことができるマルチキャリアＨＳＰＡ（ＭＣ−ＨＳＰＡ）用に構成されているが、他の数および組合せの搬送波も利用できる。ＲＮＣは、ＲＲＣメッセージなどのレイヤ３メッセージを利用して事前設定メッセージ７０８をＵＥに提供できる。ここでは、ＵＥ７０２とノードＢ７０４との間の電波インターフェースを介するＭＣ−ＨＳＰＡ通信７１０よりも前に事前設定メッセージ７０８が発生するものとして示されているが、この最初の事前設定メッセージ７０８は任意である。事前設定メッセージ７０８は、後述するように、対応するＨＳ−ＳＣＣＨ命令を受信するとＵＥが切り替えることができる少なくとも１つの後続の搬送波を利用するためにＵＥ７０２を構成するように適合されてよい。最初のＭＣ−ＨＳＰＡ通信７１０に続いて第２の事前設定メッセージ７１２が示されているが、この第２の事前設定メッセージも任意である。ここでは、第２の事前設定メッセージ７１２は、対応するＨＳ−ＳＣＣＨ命令を受信するとＵＥ７０２が二次搬送波を変更できる後続の搬送波周波数を利用するためにＵＥ７０２を構成するように適合されてよい。時間内のいくつかの点のノードＢ７０４は、たとえば複数の搬送波上の呼負荷を分散するためにＵＥ７０２によって使用される搬送波を動的に変更するために決定を行わせる負荷条件７１４を決定できる。したがってノードＢ７０４は、ＵＥ７０２に搬送波を変更するよう指示するＨＳ−ＳＣＣＨ命令などの命令７１６を提供する。次いで、事前設定メッセージ７１２によって構成された後続の搬送波によってＵＥは搬送波７１８を切り替える。次いで、ＵＥは新しい搬送波構成を利用してＭＣ−ＨＳＰＡ通信７２０を再開する。
【００５３】
上述のように搬送波が切り替えられるべき条件を決定するために、いくつかの異なるメトリクスを利用できる。たとえば、アップリンク搬送波を切り替えるかどうかを決定するために、ノードＢはシステム情報ブロック（ＳＩＢ）を見ることができる。ノードＢは、利用されている様々な搬送波の負荷を決定するためにＳＩＢを見て、それによってそれぞれの事前設定に従ってアップリンク搬送波を動的に変更するために、適切なＨＳ−ＳＣＣＨ命令を１つまたは複数のＵＥに送ることを決定できるように構成され得る。ダウンリンク搬送波を切り替えるかどうかを決定するために、ノードＢは特定の周波数搬送波を現在利用しているＵＥの数を単に見ることができ、この情報に基づいて、それぞれの事前設定によってダウンリンク搬送波を動的に変更するために適切なＨＳ−ＳＣＣＨ命令を１つまたは複数のＵＥに提供することを決定できる。
【００５４】
図８は、本開示のある態様による、例示的処理８００と８５０とを示す２つの流れ図を含む概念図である。処理８００は、アップリンク搬送波が最初の二次搬送波から後続の二次搬送波に変更される例示的処理である。ここでは、ブロック８０２はＵＥで事前設定情報を受信することを含み、次いでＵＥは、利用されるべきアンカー搬送波および少なくとも１つの最初の二次搬送波、ならびに命令を受信すると比較的迅速な切替えが発生し得る少なくとも１つの後続の二次搬送波を含む、複数の搬送波を介する事前設定通信を利用できる。変更されるべき搬送波がアップリンク搬送波である例では、アップリンク送信電力の適切な制御を可能にするためにＦ−ＤＰＣＨなどの制御チャネルをさらに事前設定するように事前設定情報を適合できる。ここでは、電波インターフェースを介して事前設定情報を提供でき、ＲＲＣ再構成メッセージの形式のノードＢ、アクティブセットアップデート、または他の何らかの適切なメッセージフォーマットによって中継される。ブロック８０４でＵＥは少なくともアンカー搬送波と、最初の二次搬送波と、後続の二次搬送波とを含むアップリンク搬送波ごとにアクティブセットを維持する。ブロック８０６でＵＥはアンカーアップリンク搬送波と最初の二次アップリンク搬送波とを利用している電波インターフェースを介してノードＢと通信する。変更されるべき搬送波がダウンリンクである例では、当然ＵＥも少なくとも１つの最初の二次ダウンリンク搬送波を利用する。いずれにしても、本明細書では少なくとも１つのアンカーダウンリンク搬送波およびアンカーアップリンク搬送波が利用される。ブロック８０８でＵＥは、ＵＥに搬送波を変更するよう指示するように適合されたノードＢからＨＳ−ＳＣＣＨ命令を受信する。この例では、命令はＵＥに二次アップリンク搬送波を変更するよう指示する。命令に応じて、ＵＥはブロック８１０で最初の二次アップリンク搬送波を不活性化して、ブロック８１２で後続の二次アップリンク搬送波を活性化する。ダウンリンク搬送波を変更する例では、当然最初の、および二次ダウンリンク搬送波に関して同様の手順が行われる。
【００５５】
処理８５０は、電波インターフェースのネットワークサイドからの処理の例である。ここでは、ブロック８５２でＲＮＳＡＰおよび／またはＮＢＡＰプロトコルを利用してＲＮＣまたは他のノードからノードＢに事前設定情報が提供され、ブロック８５４で事前設定情報が電波インターフェースを利用してＵＥに中継される。事前設定情報は、負荷分散の必要性に応じて、計画された動的搬送波切替えのためにＵＥを事前設定できるように適合される。ブロック８５６でノードＢはアンカー搬送波と少なくとも１つの二次搬送波とを利用して電波インターフェースを介してＵＥと通信する。ブロック８５８でノードＢは電波インターフェースを介する通信のために利用されている搬送波を変更する決定が行われる条件を決定する。たとえば、利用されている搬送波上の呼負荷が高すぎ、また事前設定された搬送波に変更のために利用可能な容量がある場合である。ブロック８６０でノードＢはＵＥに搬送波を変更するよう指示するためにＨＳ−ＳＣＣＨ命令を提供する。ブロック８６２でノードＢは最初の二次搬送波上の通信を停止して、ブロック８６４でノードＢは後続の二次搬送波を活性化する。これらの処理に続いて、ＵＥおよびノードＢは、アンカー搬送波と後続の二次搬送波とを利用して電波インターフェースを介する通信を開始できる。
【００５６】
再び図４を参照すると、ある構成で、ワイヤレス通信のための装置４５０は、事前設定情報を受信するための手段と、アップリンク搬送波ごとにアクティブセットを維持するための手段と、アンカー搬送波および少なくとも１つの最初の二次搬送波を介して通信するための手段と、少なくとも１つの最初の二次搬送波を変更する命令を受信するための手段と、命令に応じて、少なくとも１つの最初の二次搬送波を不活性化すること、または少なくとも１つの後続の二次搬送波を活性化することのうちの少なくとも１つのための手段と、命令に応じて後続の二次搬送波を活性化するための手段とを含む。一態様では、上述の手段は、上述の手段によって列挙された機能を実行するように構成されたプロセッサ４６０、４７０、４９４、４９０、４８２、および／または４８０、トランスミッタ４５６、あるいは受信機４５４でよい。他の態様では、上述の手段は、モジュールまたは上述の手段によって列挙された機能を実行するように構成された何らかの装置でよい。他の構成では、ワイヤレス通信のための装置４１０は、ノードＢに事前設定情報を提供するためにＲＮＳＡＰおよび／またはＮＢＡＰを利用するための手段と、事前設定情報をＵＥに中継するための手段と、アンカー搬送波および少なくとも１つの二次搬送波を介して通信するための手段と、二次搬送波のうちの少なくとも１つを変更する条件を決定するための手段と、少なくとも１つの最初の二次搬送波を変更する命令を送信するための手段と、少なくとも１つの最初の二次搬送波を介する通信を停止すること、または少なくとも１つの追加二次搬送波を活性化することのうちの少なくとも１つのための手段と、命令に応じて後続の二次搬送波を活性化するための手段とを含む。一態様では、上述の手段は、上述の手段によって列挙された機能を実行するように構成されたプロセッサ４２０、４３０、４４０、４４４、４４６、４３８、および／または４３６、トランスミッタ４３２、受信機４３５、データソース４１２、あるいはデータシンク４３９でよい。他の態様では、上述の手段はモジュールまたは上述の手段によって列挙された機能を実行するように構成された何らかの装置でよい。
【００５７】
Ｗ−ＣＤＭＡシステムを参照して、遠隔通信システムのいくつかの態様を提示してきた。当業者なら容易に理解できるように、本開示を通じて記述した様々な態様は、他の遠隔通信システム、ネットワークアーキテクチャ、および通信規格に拡張できる。
【００５８】
例を挙げると、様々な態様は、ＴＤ−ＳＣＤＭＡ、高速ダウンリンクパケットアクセス（ＨＳＤＰＡ）、高速アップリンクパケットアクセス（ＨＳＵＰＡ）、高速パケットアクセスプラス（ＨＳＰＡ＋）およびＴＤ−ＣＤＭＡなどの他のＵＭＴＳシステムに拡張できる。様々な態様は、ロングタームエボリューション（ＬＴＥ）（ＦＤＤ、ＴＤＤ、または両方のモードで）、ＬＴＥ−Ａｄｖａｎｃｅｄ（ＬＴＥ−Ａ）（ＦＤＤ、ＴＤＤ、または両方のモードで）、ＣＤＭＡ２０００、Ｅｖｏｌｕｔｉｏｎ−Ｄａｔａ  Ｏｐｔｉｍｉｚｅｄ（ＥＶ−ＤＯ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、ウルトラワイドバンド（ＵＷＢ）、Ｂｌｕｅｔｏｏｔｈ（登録商標）を使用するシステム、および／または他の適切なシステムにも拡張できる。使用される実際の遠隔通信規格、ネットワークアーキテクチャ、および／または通信規格は、特定用途およびシステムに課された全体的な設計制約に依存することになる。
【００５９】
本開示の様々な態様によれば、要素、または要素の何らかの部分、または要素の何らかの組合せを、１つまたは複数のプロセッサを含む「処理システム」に実装できる。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲートロジック、離散ハードウェア回路、および本開示を通じて記述した様々な機能を実行するように構成された他の適切なハードウェアがある。処理システム内の１つまたは複数のプロセッサはソフトウェアを実行できる。ソフトウェアは、ソフトウェア、ファームウェア、ミドルウェア、マイクロコード、ハードウェア記述言語などと呼ばれるか否かにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行のスレッド、手順、機能などを意味するように広く解釈されるべきである。ソフトウェアはコンピュータ可読メディア上に常駐してよい。コンピュータ可読メディアは非一時的コンピュータ可読メディアでよい。非一時的コンピュータ可読メディアは、例を挙げると、磁気ストレージデバイス（たとえばハードディスク、フロッピー（登録商標）ディスク、磁気ストライプ）、光ディスク（たとえばコンパクトディスク（ＣＤ）、デジタル多用途ディスク（ＤＶＤ））、スマートカード、フラッシュメモリデバイス（たとえばカード、スティック、キードライブ）、ランダムアクセスメモリ（ＲＡＭ）、読出し専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、ならびにコンピュータによるアクセスおよび読出しが可能なソフトウェアおよび／または命令を格納するための他の何らかの適切なメディアを含む。コンピュータ可読メディアは、例を挙げると、搬送波、伝送路、ならびにコンピュータによるアクセスおよび読出しが可能なソフトウェアおよび／または命令を送信するための他の何らかの適切なメディアも含むことができる。コンピュータ可読メディアは、処理システムに常駐してもよく、処理システムに外付けされてもよく、または処理システムを含む複数のエンティティにわたって分散されてもよい。コンピュータ可読メディアはコンピュータプログラム製品に組み入れられてよい。例を挙げると、コンピュータプログラム製品は梱包材に入ったコンピュータ可読メディアを含むことができる。特定用途およびシステム全体に課された全体的な設計制約に応じて、本開示を通じて提示された記述した機能を実装する最良の方法を当業者なら理解できるだろう。
【００６０】
開示した方法におけるステップの特定の順序または階層は、例示的処理の説明であることが理解されるべきである。方法におけるステップの特定の順序または階層は、設計嗜好に基づいて再構成できることが理解される。添付の方法クレームはサンプル順序における様々なステップの要素を提示しており、本明細書に特に記載のない限り、提示された特定の順序または階層に限定されることを意味するものではない。
【００６１】
上記の記述は、当業者の誰もが本明細書に記述した様々な態様を実施できるようにするために提供される。これらの態様の様々な修正形態は当業者には容易に明らかだろう。また、本明細書で定義される一般的原理は他の態様に適用できる。したがって、特許請求の範囲は本明細書に示された態様に限定することを意図しないが、特許請求の範囲の言語と一致する十分な範囲を与えられるべきである。単数形の要素への参照は、そのように記述されない限り「唯一のもの（ｏｎｅ  ａｎｄ  ｏｎｌｙ  ｏｎｅ）」を意味することを意図せず、むしろ「１つまたは複数（ｏｎｅ  ｏｒ  ｍｏｒｅ）」を意味することを意図する。特に記載のない限り、「いくつかの（ｓｏｍｅ）」という用語は１つまたは複数を指す。列挙した項目の「少なくとも１つ（ａｔ  ｌｅａｓｔ  ｏｎｅ  ｏｆ）」を指す語句は、単一のメンバーを含むそれらの項目のあらゆる組合せを指す。一例を挙げると、「ａ、ｂ、またはｃの少なくとも１つ」は、ａ、ｂ、ｃ、ａとｂ、ａとｃ、ｂとｃ、およびａとｂとｃをカバーすることを意図する。当業者に知られている、または後に知られることになる、本開示を通じて記述した様々な態様の要素の全ての構造的および機能的同等物は、参照により本明細書に明示的に組み込まれ、特許請求の範囲によって包含されることを意図する。さらに、このような開示が特許請求の範囲に明示的に列挙されているかどうかにかかわらず、本明細書に開示されたいずれも一般公衆に開放される（ｄｅｄｉｃａｔｅｄ  ｔｏ）ことを意図しない。どの特許請求の範囲の要素も、その要素が「ための手段（ｍｅａｎｓ  ｆｏｒ）」という語句を使用して明示的に列挙されていない限り、または方法クレームの場合はその要素が「ためのステップ（ｓｔｅｐ  ｆｏｒ）」という語句を使用して列挙されていない限り、米国特許法第１１２条第６項の条項に準拠すると見なされるべきではない。
【図１】
2013507093.tif 000003
【図２】
2013507093.tif 000004
【図３】
2013507093.tif 000005
【図４】
2013507093.tif 000006
【図５】
2013507093.tif 000007
【図６】
2013507093.tif 000008
【図７】
2013507093.tif 000009
【図８】
2013507093.tif 000010
【国際調査報告】
2013507093.tif 000011
2013507093.tif 000012
2013507093.tif 000013